(57)【要約】【課題】簡易に設置できる柱フェンス提供する。【解決手段】柱フェンス１０は、基台ユニット２６と、柱１２とを備える。基台ユニット２６は、基台１４，１６，１８と、連結ガイド２０とを備える。基台１４，１６，１８の上面１４ａ，１６ａ，１８ａには、柱１２の下面１２ａに設けられた突起２８を嵌め込むための穴１４ｈ，１６ｈ，１８ｈが形成されている。連結ガイド２０は、基台１４，１６，１８の第一の側面１４ｂ，１６ｂ，１８ｂが留められる第一連結部材２２と、第二の側面１４ｃ，１６ｃ，１８ｃが留められる第二連結部材２４とを備える。連結ガイド２０は、基台１４，１６，１８の設置面内で弧状に変形できる。【選択図】図１
0003183204.tif 000002
【実用新案登録請求の範囲】
【請求項１】
上面に穴が設けられた基台と、
複数の前記基台の側面が所定の間隔で留められると共に、前記基台の設置面内で弧状に変形できる連結ガイドと、
下面に突起が設けられ、この突起を前記穴に嵌め込んで前記基台に設置する柱と、
を有する柱フェンス。
【請求項２】
請求項１において、
前記穴は、前記基台の下面まで貫通しており、
前記突起の長さは、前記穴の深さより大きい柱フェンス。
【請求項３】
請求項１または２において、
前記連結ガイドは、複数の前記基台の第一の側面が留められる第一連結部材と、複数の前記基台の第二の側面が留められる第二連結部材とを備える柱フェンス。
【請求項４】
柱の下面に設けられた突起を嵌め込むための穴を、上面に備える基台と、
複数の前記基台の側面が所定の間隔で留められると共に、前記基台の設置面内で弧状に変形できる連結ガイドと、
を有する基台ユニット。
【請求項５】
請求項４において、
前記連結ガイドは、複数の前記基台の第一の側面が留められる第一連結部材と、複数の前記基台の第二の側面が留められる第二連結部材とを備える基台ユニット。
【考案の詳細な説明】
【技術分野】
【０００１】
本考案は、複数の直立した柱を並べた柱フェンスと、この柱フェンスを施工するときに用いる柱フェンス用の基台ユニットに関するものである。
【背景技術】
【０００２】
直立した柱を並べた柱フェンスがある。上から見たときに曲線状となる柱フェンスは、デザインの観点から優れている。この曲線状の柱フェンスは、個々の柱の位置決めをした後、それぞれの位置で柱の下部を地中に埋設・固定することによって施工している。しかしながら、柱の位置決めや柱を埋設する深さの調整を個々の柱ごとに行うのは、手間がかかってしまう。
【考案の概要】
【考案が解決しようとする課題】
【０００３】
本考案はこのような事情に鑑みてなされたものであり、簡易に設置できる柱フェンスと、この柱フェンスに用いられる柱フェンス用の基台ユニットを提供することを目的とする。
【課題を解決するための手段】
【０００４】
本考案の柱フェンスは、上面に穴が設けられた基台と、複数の基台の側面が所定の間隔で留められると共に、基台の設置面内で弧状に変形できる連結ガイドと、下面に突起が設けられ、この突起を穴に嵌め込んで基台に設置する柱とを有する。
【０００５】
本考案の柱フェンスにおいて、穴は、基台の下面まで貫通しており、突起の長さは、穴の深さより大きいのが好ましい。また、本考案の柱フェンスにおいて、連結ガイドは、複数の基台の第一の側面が留められる第一連結部材と、複数の基台の第二の側面が留められる第二連結部材とを備えていてもよい。
【０００６】
本考案の基台ユニットは、柱の下面に設けられた突起を嵌め込むための穴を、上面に備える基台と、複数の基台の側面が所定の間隔で留められると共に、基台の設置面内で弧状に変形できる連結ガイドとを有する。本考案の基台ユニットにおいて、連結ガイドは、複数の基台の第一の側面が留められる第一連結部材と、複数の基台の第二の側面が留められる第二連結部材とを備えていてもよい。
【考案の効果】
【０００７】
本考案によれば、柱フェンスが簡易に設置できる。
【図面の簡単な説明】
【０００８】
【図１】本考案の実施形態に係る柱フェンスの部分分解図である。
【図２】本考案の実施形態に係る柱フェンスの作製工程を説明するための図である。
【図３】本考案の実施形態に係る柱フェンスの作製工程を説明するための図である。
【図４】本考案の実施形態に係る柱フェンスの作製工程を説明するための図である。
【図５】本考案の実施形態に係る柱フェンスの作製工程を説明するための図である。
【図６】本考案の実施形態に係る柱フェンスの作製工程を説明するための図である。
【図７】本考案の他の実施形態に係る柱フェンスの作製に用いる基台ユニットの図である。
【考案を実施するための形態】
【０００９】
以下、本考案の柱フェンスと基台ユニットについて、図面を参照しながら実施形態に基づいて説明する。なお、基台ユニットは、柱フェンスの構成部材として柱フェンスともに説明する。図面は、柱フェンス、柱フェンスを構成する部材、および柱フェンスの周辺部材を模式的に表したものであり、これらの実物の寸法および寸法比は、図面上の寸法および寸法比と必ずしも一致していない。また、重複説明は適宜省略し、同一部材には同一符号を付与することがある。
【００１０】
図１は、本考案の実施形態に係る柱フェンス１０の一部分の分解図である。柱フェンス１０は、直立した柱１２が所定の間隔で並べられて構成される。柱フェンス１０を上から見ると、弧を描くように柱１２が配置されている。柱フェンス１０は、基台１４，１６，１８と、連結ガイド２０と、柱１２とを備える。基台１４，１６，１８は、直方体形状を有する樹脂から構成され、上面１４ａ，１６ａ，１８ａに穴１４ｈ，１６ｈ，１８ｈが設けられている。なお、基台１４，１６，１８の形状や材料は本実施形態に限定されない。基台１４，１６，１８を三角柱形状や六角柱形状にしてもよいし、基台１４，１６，１８の材料がコンクリート等であってもよい。
【００１１】
連結ガイド２０は、長方形の断面を有する薄くて長い板状の樹脂から構成されている。なお、連結ガイド２０の形状や材料は本実施形態に限定されない。連結ガイド２０を円柱形状にしてもよいし、連結ガイド２０の材料が木材や金属等であってもよい。連結ガイド２０には、複数の基台１４，１６，１８の側面が所定の間隔で留められる。より具体的には、連結ガイド２０は、第一連結部材２２と、第二連結部材２４とを備え、第一連結部材２２には、基台１４，１６，１８の第一の側面１４ｂ，１６ｂ，１８ｂがネジＳで留められ、第二連結部材２４には、基台１４，１６，１８の第二の側面１４ｃ，１６ｃ，１８ｃがネジＳで留められる。基台１４，１６，１８と、連結ガイド２０とで、基台ユニット２６を構成している。
【００１２】
本実施形態では、基台１４，１６，１８の第一の側面１４ｂ，１６ｂ，１８ｂは、第二の側面１４ｃ，１６ｃ，１８ｃと反対側の側面であるため、第一連結部材２２と第二連結部材２４がほぼ平行に並ぶ。第一連結部材２２および第二連結部材２４は、図１に示すように、基台の設置面内で弧状に弾性変形できる。このため、基台１４，１６，１８に柱１２を設置すれば、上から見ると弧状の柱フェンス１０が得られる。複数の基台ユニット２６を組み合わせれば、上から見ると波形状の柱フェンスも作製できる。
【００１３】
柱１２は、樹脂からなる四角柱を含む形状を有しており、この四角柱の下面１２ａに突起２８が設けられている。なお、柱１２の形状や材料は本実施形態に限定されない。柱１２は四角柱以外の多角柱形状や円柱形状を有していてもよく、柱１２の材料が木材、金属、またはコンクリート等であってもよい。突起２８は、柱１２の四角柱部分の中心に設けられた金属製の円筒が突出して形成されている。突起２８は円筒ではなく円柱形状を有していてもよいし、突起２８は柱１２の下面に取り付けられたものであってもよい。突起２８を穴１４ｈ，１６ｈ，１８ｈに嵌め込んで基台１４，１６，１８に柱１２を設置する。
【００１４】
穴１４ｈ，１６ｈ，１８ｈは、基台１４，１６，１８の下面まで貫通している。そして、突起２８の長さは、穴１４ｈ，１６ｈ，１８ｈの深さより大きい。したがって、基台１４，１６，１８を掘った地中に浮かせて置き、柱１２を基台１４，１６，１８に設置すると、突起２８の下面は地面付近まで到達する。このため、基台１４，１６，１８および柱１２の下方をコンクリート等で固めると、地中に強固に固定される。
【００１５】
つぎに、上から見ると孤状になっている柱フェンス１０の作製方法について説明する。図２から図６は、柱フェンス１０の作製工程を説明するための図で、それぞれ(a)が平面図で、（ｂ）が正面図である。なお、孤の向きは、図１とは異なっている。まず、図２に示すように、第一連結部材２２が基台１３，１４，１６，１８，１９の第一の側面１３ｂ，１４ｂ，１６ｂ，１８ｂ，１９ｂにネジ留めされた基台ユニット２６を準備する。つぎに、基台ユニット２６を掘った地中に浮かせて置く。例えば、掘った地面Ｄに複数のコンクリートブロックＢ等を置き、その上に基台１３，１９等を載せることによって、基台ユニット２６を掘った地中に浮かせられる。また。コンクリートブロックの穴と基台の穴が上下でつながるように、コンクリートブロック上に基台を置いてもよい。
【００１６】
そして、基台ユニット２６を弧状に変形して、図３に示すように、基台１３，１９の上面１３ａ，１９ａに、細長い直方体形状を有する樹脂製の仮固定部材３０をネジ留めして仮固定する。つぎに、基台１３，１４，１６，１８，１９の第二の側面１３ｃ，１４ｃ，１６ｃ，１８ｃ，１９ｃに第二連結部材２４をネジ留めして本固定した後、図４に示すように、仮固定部材３０を基台１３，１９から取り外す。基台１３，１４，１６，１８，１９と、第一連結部材２２と、第二連結部材２４とが、互いに固定されているため、仮固定部材３０を基台１３，１９から取り外しても弧状が維持される。
【００１７】
そして、図５に示すように、基台１３，１４，１６，１８，１９に柱１２を設置する。具体的には、基台１３，１４，１６，１８，１９の穴１３ｈ，１４ｈ，１６ｈ，１８ｈ，１９ｈに、柱１２の突起２８を嵌め込む。このとき突起２８は、基台１３，１４，１６，１８，１９の底面から突き出ている。つぎに、基台ユニット２６が隠れるように打設し、コンクリートが硬化した後、図６に示すように、柱１２の下部まで土をかぶせる。こうして、柱フェンス１０が施工される。このように、本考案によれば、柱１２の位置決めが容易にできるため、柱フェンス１０が簡易に設置できる。
【００１８】
以上、実施形態に基づいて本考案の柱フェンスと基台ユニットを説明したが、本考案の柱フェンスと基台ユニットは上記実施形態に限定されない。すなわち、上記実施形態では連結ガイドが２つの連結部材から構成されているが、連結ガイドが１つの連結部材から構成されても、３つ以上の連結部材から構成されてもよい。連結ガイドが４つの連結部材から構成される例としては、基台の第一の側面に２つの連結部材を、第二の側面にも２つの連結部材をそれぞれ留めるものが挙げられる。
【００１９】
また、上記実施形態では柱フェンスを上から見ると孤状になっているが、柱フェンスの柱が直線状に並ぶように、基台ユニットを配置してもよい。図７は、柱が直線状に並んだ柱フェンスを作製するための基台ユニット３６を示し、 (a)が平面図で、（ｂ）が正面図である。この直線状の柱フェンスは、以下のようにして作製する。まず、図７に示すように、基台１３，１４，１６，１８，１９の第一の側面１３ｂ，１４ｂ，１６ｂ，１８ｂ，１９ｂと第二の側面１３ｃ，１４ｃ，１６ｃ，１８ｃ，１９ｃに、第一連結部材２２と第二連結部材２４をそれぞれネジ留めした直線状の基台ユニット３６を、掘った地中に浮かせて置く。その後は、孤状の柱フェンスと同様の工程を経て、直線状の柱フェンスが得られる。
【符号の説明】
【００２０】
１０…柱フェンス、  １２…柱、  １３，１４，１６，１８，１９…基台、
１３ａ，１４ａ，１６ａ，１８ａ，１９ａ…基台の上面、
１３ｂ，１４ｂ，１６ｂ，１８ｂ，１９ｂ…基台の第一の側面、
１３ｃ，１４ｃ，１６ｃ，１８ｃ，１９ｃ…基台の第二の側面、
１３ｈ，１４ｈ，１６ｈ，１８ｈ，１９ｈ…穴、  ２０…連結ガイド、
２２…第一連結部材、  ２４…第二連結部材、  ２６，３６…基台ユニット、
２８…突起、  ３０…仮固定部材、  Ｓ…ネジ
【図１】
0003183204.tif 000003
【図２】
0003183204.tif 000004
【図３】
0003183204.tif 000005
【図４】
0003183204.tif 000006
【図５】
0003183204.tif 000007
【図６】
0003183204.tif 000008
【図７】
0003183204.tif 000009